(57)【要約】      （修正有）【課題】矩形板状のソーラーパネルと、ソーラーパネルの裏面の側縁部に設けられたＬ字状の一対の取付部材とを備えるソーラーパネル装置を容易に梱包できる梱包材を提供する。【解決手段】矩形状の表面被覆部３と、表面被覆部の一対の第１側縁に連設され直角に折り曲げられる一対の第１側縁被覆部４１と、各第１側縁被覆部の先端縁に連設され内側へ直角に折り曲げられる一対の取付部材被覆部４２と、各取付部材被覆部の先端縁に連設されソーラーパネルと取付部材との間に差し込まれる折返片４３と、折返片の先端縁に連設され裏面に沿うように折り返される固定片４４と、表面被覆部の一対の第２側縁に連設され直角に折り曲げられる一対の第２側縁被覆部５１と、各第２側縁被覆部の先端縁に連設され直角に折り曲げられる一対の裏面被覆部５４とを備え、両裏面被覆部は、固定片とソーラーパネルの裏面との間に挟まれて固定される。【選択図】図３
2008290767.tif 000002
【特許請求の範囲】
【請求項１】
表面で受光した光エネルギーを電力に変換する矩形板状のソーラーパネルと、該ソーラーパネルの裏面で対向する一対の側縁部に夫々設けられ、該裏面に対して垂直に延び先端部が内側に折れ曲がった断面Ｌ字状の取付部材とを備えるソーラーパネル装置を梱包する梱包材において、
少なくとも前記ソーラーパネルの表面の周縁部を覆う矩形状の表面被覆部と、
該表面被覆部の側縁で前記ソーラーパネル装置を梱包する際に前記取付部材が位置する一対の第１側縁に連設され、前記ソーラーパネル装置の側縁を覆うように直角に折り曲げられる一対の第１側縁被覆部と、
該一対の第１側縁被覆部の先端縁に連設され、前記取付部材を覆うように内側へ直角に折り曲げられる一対の取付部材被覆部と、
該一対の取付部材被覆部の先端縁に連設され、前記ソーラーパネルと前記取付部材との間に差し込まれるように折り返される折返片と、
該折返片の先端縁に連設され、前記ソーラーパネルの裏面に沿うように該ソーラーパネルの中央に向かって折り返される固定片と、
前記表面被覆部の側縁で前記第１側縁に隣接する一対の第２側縁に連設され、前記ソーラーパネル装置の側縁を覆うように直角に折り曲げられる一対の第２側縁被覆部と、
該一対の第２側縁被覆部の先端縁に連設され、前記ソーラーパネルの裏面に沿うように折り曲げられる一対の裏面被覆部とを備え、
該一対の裏面被覆部は、前記固定片と前記ソーラーパネルの裏面との間に挟まれて固定されることを特徴とする梱包材。
【請求項２】
前記折返片は、前記一対の取付部材被覆部の前記第１側縁の長手方向の両端部に連設されることを特徴とする請求項１記載の梱包材。
【請求項３】
前記一対の取付部材被覆部の先端縁には、前記取付部材被覆部の両端部に設けられた一対の前記折返片の間であって前記折返片から間隔を存する位置に、前記前記ソーラーパネル側に向かって直角に折れ曲がる折曲片が設けられ、
該折曲片の先端縁には、前記ソーラーパネルの裏面に沿うように前記ソーラーパネルの中央側に向かって折れ曲る押え片が設けられ、
前記折曲片の前記第１側縁の長手方向の両端縁には、前記取付部材と前記ソーラーパネルとの間に挿入されるように直角に折り曲げられる挿入片が設けられていることを特徴とする請求項２記載の梱包材。
【請求項４】
前記折曲片は、前記一対の取付部材被覆部の先端縁の中央部に設けられていることを特徴とする請求項３記載の梱包材。
【請求項５】
前記一対の裏面被覆部の前記第２側縁の長手方向の両端部には、先端縁から基端側に向かって延びる切込部が設けられ、
該切込部は前記裏面被覆部の前記第２側縁の長手方向の中央に向かって傾斜する傾斜部を備え、
前記固定片の先端部が該切込部に差し込まれることを特徴とする請求項１から請求項４の何れか１項に記載の梱包材。
【請求項６】
前記表面被覆部の中央部には切欠部が形成され、
前記表面被覆部の各角部には、前記切欠部の縁から外縁の角に向かって破断予定線が形成されていることを特徴とする請求項１から請求項５の何れか１項に記載の梱包材。
【発明の詳細な説明】
【技術分野】
【０００１】
本発明は、表面で受光した光エネルギーを電力に変換する矩形板状のソーラーパネルと、ソーラーパネルの裏面に設置箇所へ固定するための断面Ｌ字状の固定部材とを備えるソーラーパネル装置を梱包する梱包材に関する。
【背景技術】
【０００２】
ソーラーパネル装置は、長方形板状のソーラーパネルと、その裏面に取り付けられた設置箇所へ固定するための断面Ｌ字状の固定部材とで構成され、梱包材により梱包されて出荷される。
【０００３】
従来の梱包材は、長方形板状のソーラーパネル装置の表面を被覆する表面被覆部と、ソーラーパネル装置の短手側縁を被覆する短手側縁被覆部と、ソーラーパネル装置の裏面の短手側縁部を被覆する短手側裏面被覆部と、ソーラーパネル装置の長手側縁を被覆する長手側縁被覆部と、ソーラーパネル装置の裏面の長手側縁部を被覆する長手側裏面被覆部とで構成される。
【０００４】
そして、短手側裏面被覆部に挿入孔を形成し、長手側裏面被覆部の両側縁に係止片を設け、係止片を挿入孔に挿入して係合させ梱包する（例えば、特許文献１参照）。
【０００５】
しかしながら、上記の如き構成では、係止片が挿入孔から簡単に抜け出して梱包が解除されないように設計する必要がある。従って、係止片を挿入孔よりも若干大きめに形成するため、係止片を挿入孔に挿入する作業は手間がかかり、面倒であった。
【特許文献１】特許第３７２５８５５号公報（第５図、第１２図、第１３図）
【発明の開示】
【発明が解決しようとする課題】
【０００６】
本発明は、ソーラーパネル装置の梱包作業を容易にすることができる梱包材を提供することを目的とする。
【課題を解決するための手段】
【０００７】
本発明は、表面で受光した光エネルギーを電力に変換する矩形板状のソーラーパネルと、該ソーラーパネルの裏面で対向する一対の側縁部に夫々設けられ、該裏面に対して垂直に延び先端部が内側に折れ曲がった断面Ｌ字状の取付部材とを備えるソーラーパネル装置を梱包する梱包材において、少なくとも前記ソーラーパネルの表面の周縁部を覆う矩形状の表面被覆部と、該表面被覆部の側縁で前記ソーラーパネル装置を梱包する際に前記取付部材が位置する一対の第１側縁に連設され、前記ソーラーパネル装置の側縁を覆うように直角に折り曲げられる一対の第１側縁被覆部と、該一対の第１側縁被覆部の先端縁に連設され、前記取付部材を覆うように内側へ直角に折り曲げられる一対の取付部材被覆部と、該一対の取付部材被覆部の先端縁に連設され、前記ソーラーパネルと前記取付部材との間に差し込まれるように折り返される折返片と、該折返片の先端縁に連設され、前記ソーラーパネルの裏面に沿うように該ソーラーパネルの中央に向かって折り返される固定片と、前記表面被覆部の側縁で前記第１側縁に隣接する一対の第２側縁に連設され、前記ソーラーパネル装置の側縁を覆うように直角に折り曲げられる一対の第２側縁被覆部と、該一対の第２側縁被覆部の先端縁に連設され、前記ソーラーパネルの裏面に沿うように折り曲げられる一対の裏面被覆部とを備え、該一対の裏面被覆部は、前記固定片と前記ソーラーパネルの裏面との間に挟まれて固定されることを特徴とする。
【０００８】
本発明によれば、前記折返片が前記ソーラーパネルと前記取付部材との間に差し込まれることにより、前記取付部材被覆部が固定される。又、前記裏面被覆部は、前記固定片と前記ソーラーパネルの裏面との間に挟まれて固定される。このようにして、前記折返片を前記ソーラーパネルと前記取付部材との間に差し込むだけで前記ソーラーパネル装置を前記梱包材で梱包することができ、従来と比較して梱包の作業時間を短縮させることができる。
【０００９】
前記折返片は、前記一対の取付部材被覆部の前記第１側縁の長手方向の両端部に連設されることが好ましい。
【００１０】
前記ソーラーパネル装置の第１側縁が長い場合、前記折返片も同様に長くすると、前記折返片を前記ソーラーパネルと前記取付部材との間に差し込み難くなる。そこで、上記の如く、前記折返片を前記各取付部材被覆部の両端部に連設することにより、前記折返片を短くし前記ソーラーパネルと前記取付部材との間に差し込み易くすることができる。
【００１１】
前記一対の取付部材被覆部の先端縁には、前記取付部材被覆部の両端部に設けられた一対の前記折返片の間であって前記折返片から間隔を存する位置に、前記前記ソーラーパネル側に向かって直角に折れ曲がる折曲片が設けられ、該折曲片の先端縁には、前記ソーラーパネルの裏面に沿うように前記ソーラーパネルの中央側に向かって折れ曲る押え片が設けられ、前記折曲片の前記第１側縁の長手方向の両端縁には、前記取付部材と前記ソーラーパネルとの間に挿入されるように直角に折り曲げられる挿入片が設けられていることが好ましい。
【００１２】
又、前記折曲片は、前記一対の取付部材被覆部の先端縁の中央部に設けられていることが好ましい。
【００１３】
かかる構成によれば、前記ソーラーパネルの第１側縁が長い場合であっても、前記取付部材被覆部の中央部が前記ソーラーパネルの裏面側に膨らむことを防止することができる。又、前記取付部材被覆部をより強固に固定することができる。
【００１４】
前記一対の裏面被覆部の前記第２側縁の長手方向の両端部には、先端縁から基端側に向かって延びる切込部が設けられ、該切込部は前記裏面被覆部の中央に向かって傾斜する傾斜部を備え、前記一対の固定片の先端部が該切込部に差し込まれることが好ましい。
【００１５】
かかる構成によれば、前記固定片が前記裏面被覆部を前記ソーラーパネルに押し付けて固定すると共に、前記固定片の先端部が前記切込部に差し込まれるため、前記固定片も前記裏面被覆部に固定される。従って、前記ソーラーパネル装置をより確実に梱包することができる。
【００１６】
前記表面被覆部の中央部には切欠部が形成され、前記表面被覆部の各角部には、前記切欠部の縁から外縁の角に向かって破断予定線が形成されていることが好ましい。かかる構成によれば、本発明の梱包材に梱包された前記ソーラーパネルを取り出す際に、破断予定線に沿って破断させることにより、前記梱包材から容易にソーラーパネルを取り出すことができる。又、前記破断予定線に沿って前記表面被覆部を破断させることにより、前記梱包材を４つに分断することができるため、前記梱包材を小さくまとめることができ容易に廃棄することができる。
【発明を実施するための最良の形態】
【００１７】
本発明の実施形態を図１から図５を参照して説明する。図１は実施形態の梱包材を示す斜視図、図２は実施形態の梱包材により梱包されるソーラーパネルを一部切り欠いて示す斜視図、図３は実施形態の梱包材の展開図、図４は実施形態の梱包材の角部を示す斜視図、図５は実施形態の梱包材の側縁中央部を示す斜視図である。
【００１８】
図１に示す梱包材１は、段ボール製であり、図２に示す長方形板状のソーラーパネル装置２を梱包するものである。ソーラーパネル装置２は、表面２１ａで受光した光エネルギーを電力に変換する長方形板状のソーラーパネル２１と、ソーラーパネル２１の周縁を覆うフレーム２２とを備える。フレーム２２の長手側縁には、ソーラーパネル２１の裏面２１ｂの垂直方向に延び先端が内側に折れ曲がる断面Ｌ字状の取付部材２３が設けられている。又、フレーム２２の短手側縁は、固定部材２３に合わせてソーラーパネル２１の裏面２１ｂの垂直方向に延長されている。
【００１９】
梱包材１は、図３に展開して示すように、一枚の段ボール板を打ち抜いて形成され、ソーラーパネル装置２の表面２１ａ側を覆う長方形状の表面被覆部３を備える。表面被覆部３の中央部には大きく長方形状に切り欠かれた切欠部３ａが形成されている。これにより、ソーラーパネル装置２は、梱包材１で梱包された状態であっても表面被覆部３は表面２１ａの周縁のみを覆うため、切欠部３ａを介して表面２１ａで光エネルギーを受光することができる。表面被覆部３の各角部には、切欠部３ａの角から表面被覆部３の外縁の角に亘って破線で示す破断予定線３ｂが形成されている。破断予定線３ｂは間隔を存して複数の切込みが直線状に配置されたものであり、表面被覆部３を破断予定線３ｂに沿って容易に破断させることができる。尚、切欠部３ａは形成しなくてもよい。これにより、表面２１ａの全域を梱包材により保護することができる。
【００２０】
表面被覆部３の両長手側縁（第１側縁）には折線Ａを介して第１側縁被覆部４１が連設されている。両第１側縁被覆部４１の先端縁には折線Ｂを介して取付部材被覆部４２が連設されている。両取付部材被覆部４２の先端縁には、ソーラーパネル装置２の長手方向の両端部に位置させて折線Ｃを介して折返片４３が連設されている。４つの折返片４３の先端縁には折線Ｄを介して固定片４４が連設されている。４つの固定片４４の先端縁にはＶ字状に切り欠かれた切欠部４４ａが形成されている。
【００２１】
両取付部材被覆部４２の先端縁には、ソーラーパネル装置２の長手方向の中央部に位置させて折線Ｅを介して折曲片４５が連設されている。両折曲片４５の先端縁には折線Ｆを介して押え片４６が連設されている。両折曲片４５の両側縁には折線Ｇを介して挿入片４７が連設されている。
【００２２】
表面被覆部３の両短手側縁（第２側縁）には折線Ｈを介して第２側縁被覆部５１が連設されている。両第２側縁被覆部５１の先端縁には折線Ｋを介してフレーム２２の裏側縁を覆うフレーム裏側縁被覆部５２が連設されている。両フレーム裏側縁被覆部５２の先端縁には折線Ｍを介してフレーム２２の内周面を覆うフレーム内周面被覆部５３が連設されている。両フレーム内周面被覆部５３の先端縁には折線Ｎを介してソーラーパネル２１の裏面２１ｂを覆う裏面被覆部５４が連設されている。両裏面被覆部５４の両側縁部には先端縁から折線Ｎ側に向かって延び先端が裏面被覆部５４の中央に向かって傾斜する切込部５４ａが形成されている。
【００２３】
次に、上記梱包材１によるソーラーパネル装置２の梱包方法を説明する。
【００２４】
まず、表面被覆部３の上にソーラーパネル装置２を載置する。そして、一対の第２側縁被覆部５１を折線Ｈを介して夫々フレーム２２の短手側縁（第２側縁）の外周面を覆うように直角に折り曲げる。そして、一対のフレーム裏側縁被覆部５２を折線Ｋを介してフレーム２２の短手側縁（第２側縁）の裏側縁を覆うように内側へ直角に折り曲げる。そして、一対のフレーム内周面被覆部５３を折線Ｍを介してフレーム２２の短手側縁（第２側縁）の内周面を覆うようにソーラーパネル２１の裏面２１ｂに向かって直角に折り曲げる。そして、一対の裏面被覆部５４を折線Ｎを介してソーラーパネル２１の裏面２１ｂに沿うように直角に折り曲げる。
【００２５】
次いで、一対の第１側縁被覆部４１を折線Ａを介してフレーム２２の長手側縁（第１側縁）の外周面を覆うように直角に折り曲げる。そして、一対の取付部材被覆部４２を折線Ｂを介して取付部材２３を覆うように直角に折り曲げる。そして、４つの折返片４３を夫々折線Ｃを介してソーラパネル２１の裏面２１ｂと取付部材２３との間に差し込むように折り返す。折返片４３は、取付部材被覆部４２の先端縁の両端部に連設されているため、取付部材被覆部４２の先端縁の全域にわたって折返片を設けた場合と比較して、容易にソーラーパネル２１と取付部材２３との間に差し込むことができる。
【００２６】
そして、４つの固定片４４を折線Ｄを介して夫々ソーラパネル２１の裏面２１ｂに沿うように折り返す。このとき、固定片４４は裏面被覆部５４をソーラーパネル２１の裏面２１ｂに押し付けて固定する。そして、固定片４４の先端縁を、図４に示すように、切欠部４４ａと切込部５４ａの先端部とが係合するように切込部５４ａへ差し込む。これにより、固定片４４の先端縁の一部が裏面被覆部５４によりソーラーパネル２１の裏面２１ｂに押し付けられて、より強固に固定されることとなる。また、切欠部４４ａと切込部５４ａの先端部とを係合させることにより更に強固に固定される。
【００２７】
次いで、図５に示すように、一対の折曲片４５を折線Ｅを介してソーラーパネル２１の裏面２１ｂ側に直角に折り曲げる。そして、一対の押え片４６を折線Ｆを介してソーラーパネル２１の裏面２１ｂに沿うように折り曲げる。そして、折曲片４５の両側縁に連設された挿入片４７を折線Ｇを介してソーラーパネル２１の裏面２１ｂと取付部材２３との間に挿入するように直角に折り曲げる。挿入片４７が裏面２１ｂと取付部材２３との間に挿入されることにより折曲片４５が固定される。これにより、取付部材被覆部４２の中央部がソーラーパネル２１の裏面２１ｂ側に膨らむことを防止することができる。
【００２８】
以上のようにして実施形態の梱包材１により梱包されたソーラーパネル２１を梱包材１から取り出す際には、梱包材１の表面被覆部３の切欠部３ａの角から破断予定線３ｂに沿って引き裂くことにより梱包材１が４つに分断され、容易にソーラーパネル２１を取り出すことができる。又、分断された梱包材は容易にまとめて廃棄することができる。
【００２９】
実施形態の梱包材１によれば、折返片４３をソーラーパネル２１と取付部材２３との間に差し込むだけでソーラーパネル装置２を梱包することができ、従来と比較して梱包の作業時間を短縮させることができる。
【００３０】
尚、実施形態の梱包材１においては、取付部材被覆部４２の先端縁に１つの折曲片４５を連設したものを説明したが、折曲片４５は取付部材４２の先端縁に複数連設してもよい。この場合、取付部材被覆部４２の長手方向における各折曲片４５間、及び折曲片４５と折返片４３の間を等間隔としてもよい。
【図面の簡単な説明】
【００３１】
【図１】実施形態の梱包材を示す斜視図。
【図２】実施形態の梱包材により梱包されるソーラーパネルを一部切り欠いて示す斜視図。
【図３】実施形態の梱包材の展開図。
【図４】実施形態の梱包材の角部を示す斜視図。
【図５】実施形態の梱包材の側縁中央部を示す斜視図。
【符号の説明】
【００３２】
１…梱包材、  ２…ソーラーパネル装置、  ２１…ソーラーパネル、  ２１ａ…表面、  ２１ｂ…裏面、  ２２…フレーム、  ２３…取付部材、  ３…表面被覆部、  ３ａ…切欠部、  ３ｂ…破断予定線、  ４１…第１側縁被覆部、  ４２…取付部材被覆部、  ４３…折返片、  ４４…固定片、  ４４ａ…切欠部、  ４５…折曲片、  ４６…押え片、  ４７…挿入片、  ５１…第２側縁被覆部、  ５２…フレーム裏側縁被覆部、  ５３…フレーム内周面被覆部、  ５４…裏面被覆部、  ５４ａ…切込部、  Ａ，Ｂ，Ｃ，Ｄ，Ｅ，Ｆ，Ｇ，Ｈ，Ｋ，Ｍ，Ｎ…折線。
【図１】
2008290767.tif 000003
【図２】
2008290767.tif 000004
【図３】
2008290767.tif 000005
【図４】
2008290767.tif 000006
【図５】
2008290767.tif 000007